(57)【要約】  本発明に係る送風装置は、ファンと、前記ファンが発生させる気流の方向において前記ファンの下流側に設けられたグリルと、を備え、前記グリルは、間隔を空けて配置された複数の第１桟で構成された第１グリルと、間隔を空けて配置された複数の第２桟で構成された第２グリルと、を備え、前記複数の第２桟は、前記複数の第１桟よりも密な状態で配置され、前記第２グリルは、前記ファンが発生させる気流の方向において前記第１グリルの上流側となる位置で、前記第１グリルと間隔を空けて対向して設けられている。
2019224918.tif 000002
【特許請求の範囲】
【請求項１】
ファンと、
前記ファンが発生させる気流の方向において前記ファンの下流側に設けられたグリルと、
を備え、
前記グリルは、
間隔を空けて配置された複数の第１桟で構成された第１グリルと、
間隔を空けて配置された複数の第２桟で構成された第２グリルと、
を備え、
前記複数の第２桟は、前記複数の第１桟よりも密な状態で配置され、
前記第２グリルは、前記ファンが発生させる気流の方向において前記第１グリルの上流側となる位置で、前記第１グリルと間隔を空けて対向して設けられている送風装置。
【請求項２】
前記第２グリルの任意の範囲を第１範囲とし、
前記第２グリルのうちで、前記第１範囲を通る気流よりも速い気流が通る範囲を第２範囲とした場合、
前記第２範囲の前記複数の第２桟は、前記第１範囲の前記複数の第２桟よりも密な状態で配置されている請求項１に記載の送風装置。
【請求項３】
前記第２グリルは、規定速度よりも速い気流が通る範囲のみに設けられている請求項１に記載の送風装置。
【請求項４】
前記ファンが発生させる気流の方向と垂直で、当該気流の方向において前記第２グリルよりも上流側で前記第２グリルと対向する仮想平面を基準面とし、
前記第２グリルの任意の箇所を第１箇所とし、
前記第２グリルのうちで、前記第１箇所を通る気流よりも速い気流が通る箇所を第２箇所とした場合、
前記複数の第２桟のうちで前記第２箇所に配置されている部分は、前記複数の第２桟のうちで前記第１箇所に配置されている部分と比べ、前記基準面から離れている請求項１〜請求項３のいずれか一項に記載の送風装置。
【請求項５】
前記複数の第２桟は、前記複数の第１桟よりも細い請求項１〜請求項４のいずれか一項に記載の送風装置。
【請求項６】
請求項１〜請求項５のいずれか一項に記載の送風装置と、
前記送風装置の前記ファンが発生させる気流が通過する熱交換器と、
を備えた空気調和機。
【発明の詳細な説明】
【技術分野】
【０００１】
本発明は、騒音の低減を図った送風装置、及び該送風装置を備えた空気調和機に関する。
【背景技術】
【０００２】
従来、ファンと、ファンが発生させる気流の方向においてファンの下流側に設けられたグリルと、を備えた送風装置が知られている。グリルは、間隔を空けて配置された複数の桟で構成されている。このような送風装置は、例えば空気調和機に用いられる。詳しくは、ファンは、空気調和機の筐体内に設置される。また、グリルは、例えば、筐体の吹出口に設置される。このように送風装置を空気調和機の筐体に設けることにより、吹出口から手指等が誤って筐体内に侵入することを防止でき、手指等がファンに接触してしまうことを防止できる。【０００３】
グリルはファンの下流側に設けられているので、ファンから吹き出された気流は、グリルの各桟に衝突する。各桟に衝突した気流は、各桟の表面に沿って流れようとするが、途中で剥離してしまう。このため、各桟の後流側には渦が発生し、騒音が発生してしまう。このため、従来の送風装置のグリルには、騒音の抑制を図ったものも提案されている（特許文献１参照）。詳しくは、特許文献１に記載の送風装置は、ファンが発生させる気流の方向において従来のグリルの上流側となる位置に、従来のグリルと同形状に複数の桟を配置したグリルを備えている。以下、この上流側のグリルを上流側グリルと称する。また、上流側グリルの下流側に設けられた従来のグリルを下流側グリルと称する。上流側グリルの複数の桟は、下流側グリルの複数の桟よりも細い桟となっている。このように構成された特許文献１に記載の送風装置においては、上流側グリルの細い桟で広げられた気流が、下流側グリルの桟に衝突する。特許文献１によると、このように広げられた気流を下流側グリルの桟に衝突させることにより、下流側グリルの桟表面に沿って流れる気流の剥離を抑制でき、下流側グリルの桟の後流側に発生する渦を抑制でき、騒音を抑制できるとされている。
【先行技術文献】
【特許文献】
【０００４】
【特許文献１】特開２０００−３４６４０３号公報
【発明の概要】
【発明が解決しようとする課題】
【０００５】
特許文献１に記載の送風装置は、上流側グリルを有していない送風装置と比べ、下流側グリルの桟表面に沿って流れる気流の剥離を抑制でき、騒音を抑制できる。しかしながら、特許文献１に記載の送風装置の騒音効果は未だ十分なものではなく、騒音のさらなる抑制が望まれていた。【０００６】
本発明は、上記のような課題を解決するためになされたもので、グリルで発生する騒音を従来よりも抑制することができる送風装置を提供することを第１の目的とする。また、本発明は、当該送風装置を備えた空気調和機を提供することを第２の目的とする。
【課題を解決するための手段】
【０００７】
本発明に係る送風装置は、ファンと、前記ファンが発生させる気流の方向において前記ファンの下流側に設けられたグリルと、を備え、前記グリルは、間隔を空けて配置された複数の第１桟で構成された第１グリルと、間隔を空けて配置された複数の第２桟で構成された第２グリルと、を備え、前記複数の第２桟は、前記複数の第１桟よりも密な状態で配置され、前記第２グリルは、前記ファンが発生させる気流の方向において前記第１グリルの上流側となる位置で、前記第１グリルと間隔を空けて対向して設けられている。【０００８】
また、本発明に係る空気調和機は、本発明に係る送風装置と、前記送風装置の前記ファンが発生させる気流が通過する熱交換器と、を備えている。
【発明の効果】
【０００９】
本発明に係る送風装置においては、ファンが発生させた気流が第２グリルを通る際、わずかに乱れた細かい気流に分断される。そして、本発明に係る送風装置においては、わずかに乱れた細かい気流が、第１グリルの各第１桟に衝突し、各第１桟の表面に沿って流れることとなる。ここで、わずかに乱れた気流が第１桟の表面に沿って流れる場合、層流が第１桟の表面に沿って流れる場合と比べ、第１桟の表面から剥離することを抑制できる。これにより、本発明に係る送風装置は、各第１桟の後流側に発生する渦を従来よりも抑制でき、騒音を従来よりも抑制できる。
【図面の簡単な説明】
【００１０】
【図１】本発明の実施の形態に係る空気調和機の室外機を示す正面図である。
【図２】本発明の実施の形態に係る空気調和機の室外機の内部を上方から観察した図である。
【図３】本発明の実施の形態に係る送風装置のグリルを示す正面図である。
【図４】本発明の実施の形態に係る送風装置のグリルの一部を示す側面図である。
【図５】本発明の実施の形態に係る第２グリルの別の一例を示す正面図である。
【図６】本発明の実施の形態に係るグリルの別の一例を示す正面図である。
【図７】本発明の実施の形態に係る送風装置の別の一例を示す平面図である。
【発明を実施するための形態】
【００１１】
以下、本発明に係る送風装置の一例、及び当該送風装置を備えた空気調和機の一例について説明する。なお、以下では、本発明に係る送風装置の一例を空気調和機の室外機に備えた例について説明する。
【００１２】
実施の形態．
図１は、本発明の実施の形態に係る空気調和機の室外機を示す正面図である。また、図２は、本発明の実施の形態に係る空気調和機の室外機の内部を上方から観察した図である。なお、図２は、室外機１００の筐体１０１の天面部を取り外し、室外機１００の内部を観察した図となっている。また、図２では、送風装置１のプロペラファン２を図示するため、ベルマウス１０８を断面で示している。また、図２は、紙面下側が室外機１００の正面側つまり前面側となっている。
【００１３】
空気調和機の室外機１００は、例えば略直方体の筐体１０１を備えている。この筐体１０１の内部は、仕切板１０２によって、送風機室１０３と機械室１０４とに仕切られている。また、筐体１０１における送風機室１０３を構成する部分には、吸込口１０５及び吹出口１０６が形成されている。本実施の形態では、吸込口１０５は、筐体１０１の側面部及び背面部に形成されている。また、吹出口１０６は、筐体１０１の前面部に形成されている。
【００１４】
送風機室１０３には、吸込口１０５と対向するように、例えばフィンチューブ型の熱交換器である熱交換器１０７が設けられている。上述のように、本実施の形態では、吸込口１０５は、筐体１０１の側面部及び背面部に形成されている。このため、熱交換器１０７は、平面視略Ｌ字形状となっている。なお、機械室１０４には、熱交換器１０７と共に冷媒回路を構成する図示せぬ圧縮機等が収納されている。
【００１５】
また、室外機１００は、送風装置１を備えている。この送風装置１は、プロペラファン２と、プロペラファン２が発生させる気流の方向においてプロペラファン２の下流側に設けられたグリル４と、を備えている。プロペラファン２は、送風機室１０３に収納されている。このプロペラファン２には、該プロペラファン２を回転させるファンモーター３が接続されている。また、送風機室１０３には、間隔を空けてプロペラファン２の外周側を覆うベルマウス１０８が設けられている。ベルマウス１０８は、プロペラファン２から吹き出された気流を吹出口１０６に導くものである。グリル４は、吹出口１０６を覆うように設けられている。グリル４は、吹出口１０６から手指等が誤って筐体１０１内に侵入することを防止し、手指等がプロペラファン２に接触してしまうことを防止するものである。なお、グリル４の詳細については後述する。
【００１６】
このように構成された室外機１００においては、プロペラファン２が回転すると、次のような気流、つまり空気の流れが発生する。詳しくは、プロペラファン２が回転すると、吸込口１０５から送風機室１０３内に、筐体１０１周辺の空気が吸い込まれる。送風機室１０３内に吸い込まれた空気は、熱交換器１０７を流れる冷媒と熱交換しながら、該熱交換器１０７を通過する。この際、熱交換器１０７を通過した空気は、プロペラファン２に吸い込まれ、該プロペラファン２から吹き出される。プロペラファン２から吹き出された空気は、ベルマウス１０８によって吹出口１０６へ導かれ、グリル４を通って吹出口１０６から筐体１０１外へ排出される。
【００１７】
ここで、従来の空気調和機の室外機においては、ファンから吹き出された気流は、層流としてグリルの各桟に衝突する。各桟に衝突した気流は、各桟の表面に沿って流れようとするが、途中で剥離してしまう。このため、従来の空気調和機の室外機においては、各桟の後流側に渦が発生し、騒音が発生してしまう。そこで、本実施の形態に係る送風装置１では、以下のようにグリル４を構成し、グリル４で発生する騒音を抑制している。
【００１８】
図３は、本発明の実施の形態に係る送風装置のグリルを示す正面図である。すなわち、図３においては、プロペラファン２が発生させる気流は、紙面裏側から紙面手前側に流れてグリル４を通過することとなる。また、図４は、本発明の実施の形態に係る送風装置のグリルの一部を示す側面図である。この図４は、紙面左側がグリル４の正面側となる。すなわち、図４においては、白抜き矢印で示すように、プロペラファン２が発生させる気流は、紙面右側から紙面左側に流れてグリル４を通過することとなる。
【００１９】
本実施の形態に係るグリル４は、第１グリル１０及び第２グリル２０を備えている。第１グリル１０は、間隔を空けて配置された複数の第１桟１１で構成されている。なお、本実施の形態では、複数の第１桟１１を格子状に配置した例を示している。詳しくは、第１グリル１０は、複数の第１桟１１として、横方向に間隔を空けて配置された複数の縦桟１２と、上下方向間隔を空けて配置された複数の横桟１３とを備えている。これら複数の縦桟１２及び複数の横桟１３により、第１グリル１０は格子状となっている。
【００２０】
第２グリル２０は、間隔を空けて配置された複数の第２桟２１で構成されている。なお、本実施の形態では、これら複数の第２桟２１は、複数の第１桟１１よりも細い桟となっている。また、本実施の形態では、複数の第２桟２１を格子状に配置した例を示している。詳しくは、第２グリル２０は、複数の第２桟２１として、横方向に間隔を空けて配置された複数の縦桟２２と、上下方向間隔を空けて配置された複数の横桟２３とを備えている。これら複数の縦桟２２及び複数の横桟２３により、第２グリル２０は格子状となっている。
【００２１】
ここで、第２グリル２０の複数の第２桟２１は、第１グリル１０の複数の第１桟１１よりも密な状態で配置されている。換言すると、第２グリル２０の隣接する４本の第２桟２１で囲まれた空間は、第１グリル１０の隣接する４本の第１桟１１で囲まれた空間よりも小さくなっている。また、第２グリル２０は、プロペラファン２が発生させる気流の方向において第１グリル１０の上流側となる位置で、第１グリル１０と間隔Ｄを空けて対向して設けられている。
【００２２】
このように構成されたグリル４においては、プロペラファン２が発生させる気流は、次のようにグリル４を通過することとなる。上述のように、第２グリル２０の複数の第２桟２１は、第１グリル１０の複数の第１桟１１よりも密な状態で配置されている。このため、プロペラファン２が発生させた気流は、第２グリル２０を通過する際、わずかに乱れた細かい気流に分断される。そして、わずかに乱れた細かい気流が、第１グリル１０の各第１桟１１に衝突し、各第１桟１１の表面に沿って流れることとなる。
【００２３】
ここで、同一の物体の表面を流れる気流の剥離を観察した場合、わずかに乱れた気流の方が、層流の場合と比べ、物体表面から剥離しにくく、より後方まで物体表面に沿って流れる。この現象を利用した気流の剥離抑制は、例えばゴルフボールに用いられている。詳しくは、ゴルフボールの表面には、ディンプルと呼ばれる小さな凹みが複数形成されている。これらのディンプルによって、ゴルフボールの表面を流れる気流がわずかに乱れる。これにより、ゴルフボールは、表面を流れる気流の剥離を抑制している。
【００２４】
本実施の形態に係るグリル４では、第２グリルでわずかに乱れた気流を生成し、第１グリル１０の各第１桟１１の表面に供給している。これにより、第１桟１１の表面に層流が流れる場合と比べ、第１桟１１の表面を流れるわずかに乱れた気流は、第１桟１１のより後方まで、第１桟１１の表面から剥離せずに流れることができる。このため、本実施の形態に係るグリル４は、各第１桟１１の後流側に発生する渦を従来よりも抑制でき、グリル４で発生する騒音を従来よりも抑制できる。
【００２５】
なお、上述したグリル４は、あくまでも一例である。例えば、送風装置のグリルとして、放射状に延びる複数の直線状の桟と、同心状に配置された複数の円状の桟とで構成されたものが知られている。本実施の形態に係るグリル４の第１グリル１０及び第２グリル２０もこの様な構成としてもよい。この際、第２グリル２０の複数の第２桟２１が第１グリル１０の複数の第１桟１１よりも密な状態で配置されていれば、上述したグリル４での騒音抑制効果を得ることができる。
【００２６】
また、上述したグリル４の第２グリル２０は、隣接する４本の第２桟２１で囲まれた空間の大きさが全て同じであった。これに限らず、図５に示すように、通る気流の速さに応じて、隣接する４本の第２桟２１で囲まれた空間の大きさを異ならせてもよい。
【００２７】
図５は、本発明の実施の形態に係る第２グリルの別の一例を示す正面図である。
隣接する４本の第２桟２１で囲まれた空間の大きさを小さくした方が、第２グリル２０を通る気流を細かく分断でき、上述したグリル４での騒音抑制効果を増大させることができる。換言すると、第２桟２１をより密に配置した方が、第２グリル２０を通る気流を細かく分断でき、上述したグリル４での騒音抑制効果を増大させることができる。一方、第２桟２１の配置が密になっていくほど、第２グリル２０の通風抵抗が増加してしまう。また、グリル４で発生する騒音は、第１桟１１の後流側に発生する渦が強いほど大きくなる。そして、第１桟１１の後流側に発生する渦は、第１桟１１に衝突する気流が速いほど強くなる。
【００２８】
このため、図５に示す第２グリル２０は、通る気流が速い領域ほど、第２桟２１を密な状態に配置にしている。例えば、図５に示す第２グリル２０において、任意の範囲を第１範囲３１とする。また、図５に示す第２グリル２０のうちで、第１範囲３１を通る気流よりも速い気流が通る範囲を第２範囲３２とする。この場合、第２範囲３２の複数の第２桟２１は、第１範囲３１の複数の第２桟２１よりも密な状態で配置されている。換言すると、第２範囲３２における隣接する４本の第２桟２１で囲まれた空間３２ａは、第１範囲３１における隣接する４本の第２桟２１で囲まれた空間３１ａよりも小さくなっている。このように第２グリル２０を構成することにより、騒音が大きくなってしまう速い気流が流れる領域では気流を細かく分断して騒音を十分に抑制し、騒音が大きくならない遅い気流が流れる領域では通風抵抗を抑制することができる。したがって、このように第２グリル２０を構成することにより、騒音を抑制しつつ、通風抵抗を低減することもできる。
【００２９】
また例えば、図６のように第２グリル２０を構成しても、騒音を抑制しつつ、通風抵抗を低減することができる。
【００３０】
図６は、本発明の実施の形態に係るグリルの別の一例を示す正面図である。
図６に示す第２グリル２０は、規定速度よりも速い気流が通る範囲のみに設けられている。換言すると、図６に示す第２グリル２０は、騒音が大きくなってしまう速い気流が流れる領域のみに設けられている。なお、プロペラファン２は、翼の先端部付近の気流の速度が速くなる。このため、図６に示す第２グリル２０は、プロペラファン２の翼の先端部付近と対向する位置に設けられている。このように第２グリル２０を構成しても、騒音を抑制しつつ、通風抵抗を低減することができる。
【００３１】
また、上述したグリル４の第２グリル２０は、平板状となっていた。詳しくは、図４に示すように、プロペラファン２が発生させる気流の方向と垂直で、当該気流の方向において第２グリル２０よりも上流側で第２グリル２０と対向する仮想平面を、基準面３３とする。上述した第２グリル２０の各位置は、基準面３３からの距離が略同じとなっていた。これに限らず、図７に示すように、通る気流の速度に応じて、第２グリル２０の各位置の基準面３３からの距離を異ならせてもよい。
【００３２】
図７は、本発明の実施の形態に係る送風装置の別の一例を示す平面図である。なお、図７に示す白抜き矢印は、プロペラファン２が発生させる気流を示している。また、図７では、白抜き矢印の長さが長いほど、速い気流であることを示している。
上述のように、プロペラファン２は、翼の先端部付近の気流の速度が速くなる。また、物体に気流が衝突したときに発生する騒音は、気流の速度が速いほど大きくなる。このため、図７に示す第２グリル２０は、通る気流が速い箇所ほど、気流の流れ方向において後流側となるように配置している。気流は、後流側へ行くにつれて速度が弱まってくる。このため、このように第２グリル２０を構成することにより、第２グリル２０に気流が衝突したときの騒音を抑制することができる。
【００３３】
具体的には、図７に示す第２グリル２０の各位置は、通る気流が速い箇所ほど、第２グリル２０の上流側となる基準面３３から離れている。例えば、第２グリル２０の任意の箇所を、第１箇所３４とする。また、第２グリル２０のうちで、第１箇所３４を通る気流よりも速い気流が通る箇所を、第２箇所３５とする。この場合、複数の第２桟２１のうちで第２箇所３５に配置されている部分は、複数の第２桟２１のうちで第１箇所３４に配置されている部分と比べ、基準面３３から離れている。
【００３４】
なお、ファンの下流側にグリルを一枚のみ備えた従来の送風装置において、当該グリルを図７の第２グリル２０と同様に構成しても、騒音を抑制することができる。しかしながら、このような送風装置を空気調和機の室外機に用いた場合、グリルは室外機の外郭の一部を構成することとなる。このため、グリルは、室外機の外観及び安全性に直接影響する。したがって、実際には、ファンの下流側にグリルを一枚のみ備えた従来の送風装置の場合、グリルを特殊な形状にすることができず、グリルを図７の第２グリル２０と同様に構成できない。一方、本実施の形態に係る送風装置１の場合、グリル４の第１グリル１０が室外機１００の外郭の一部を構成することとなる。このため、本実施の形態に係る送風装置１は、第２グリルを図７で示した構成とすることができ、騒音を抑制することができる。
【００３５】
また、本実施の形態では、第２グリル２０の複数の第２桟２１は、第１グリル１０の複数の第１桟１１よりも細くなっていた。しかしながら、複数の第２桟２１の太さは、このような太さに限定されない。例えば、複数の第２桟２１は、複数の第１桟１１と同じ太さであってもよい。しかしながら、複数の第２桟２１は、複数の第１桟１１よりも密な状態に配置される。このため、第２グリル２０の通風抵抗を抑制するためには、第２桟２１を、第１グリル１０の複数の第１桟１１よりも細く構成することが好ましい。
【００３６】
また、本実施の形態に係る送風装置１は、プロペラファン２を備えていたが、プロペラファン２以外のファンを備えていてもよい。上述のグリル４を備えることにより、グリル４で発生する騒音を抑制することができる。この際、第２グリル２０を図５〜図７で示したように変形しても勿論よい。
【００３７】
例えば、送風装置１がシロッコファンを備え、該シロッコファンがスクロール型のケーシングに収納されているとする。この場合、ケーシングの吹出口から吹き出される気流は、外周部ほど速くなる。このため、スクロール型のケーシングに収納されたシロッコファンを備えた送風装置１において、図５のように第２グリル２０を変形させる場合、ケーシングの吹出口の外周部と対向する範囲の複数の第２桟２１を、ケーシングの吹出口の内周部と対向する範囲の複数の第２桟２１よりも密な状態で配置すればよい。また、スクロール型のケーシングに収納されたシロッコファンを備えた送風装置１において、図６のように第２グリル２０を変形させる場合、例えば、ケーシングの吹出口の外周部と対向する範囲のみに第２グリル２０を配置すればよい。また、スクロール型のケーシングに収納されたシロッコファンを備えた送風装置１において、図７のように第２グリル２０を変形させる場合、ケーシングの吹出口の外周部に近づくほど、第２グリル２０と基準面３３との距離を大きくすればよい。
【００３８】
また、送風装置１が搭載される装置は、空気調和機の室外機１００に限定されない。例えば、送風装置１を空気調和機の室内機に搭載してもよい。また例えば、空気調和機以外の装置に送風装置１を搭載してもよい。
【００３９】
以上、本実施の形態に係る送風装置１は、ファンと、ファンが発生させる気流の方向においてファンの下流側に設けられたグリル４と、を備えている。グリル４は、第１グリル１０と第２グリル２０とを備えている。第１グリル１０は、間隔を空けて配置された複数の第１桟１１で構成されている。第２グリル２０は、間隔を空けて配置された複数の第２桟２１で構成されている。複数の第２桟２１は、複数の第１桟１１よりも密な状態で配置されている。第２グリル２０は、ファンが発生させる気流の方向において第１グリル１０の上流側となる位置で、第１グリル１０と間隔を空けて対向して設けられている。
【００４０】
このため、本実施の形態に係る送風装置１においては、ファンが発生させた気流が第２グリル２０を通る際、わずかに乱れた細かい気流に分断される。そして、わずかに乱れた細かい気流が、第１グリル１０の各第１桟１１に衝突し、各第１桟１１の表面に沿って流れることとなる。ここで、わずかに乱れた気流が第１桟１１の表面に沿って流れる場合、層流が第１桟１１の表面に沿って流れる場合と比べ、第１桟１１の表面から剥離することを抑制できる。これにより、本実施の形態に係る送風装置１は、各第１桟１１の後流側に発生する渦を従来よりも抑制でき、騒音を従来よりも抑制できる。
【符号の説明】
【００４１】
１  送風装置、２  プロペラファン、３  ファンモーター、４  グリル、１０  第１グリル、１１  第１桟、１２  縦桟、１３  横桟、２０  第２グリル、２１  第２桟、２２  縦桟、２３  横桟、３１  第１範囲、３１ａ  空間、３２  第２範囲、３２ａ  空間、３３  基準面、３４  第１箇所、３５  第２箇所、１００  室外機、１０１  筐体、１０２  仕切板、１０３  送風機室、１０４  機械室、１０５  吸込口、１０６  吹出口、１０７  熱交換器、１０８  ベルマウス、Ｄ  間隔。
【図１】
2019224918.tif 000003
【図２】
2019224918.tif 000004
【図３】
2019224918.tif 000005
【図４】
2019224918.tif 000006
【図５】
2019224918.tif 000007
【図６】
2019224918.tif 000008
【図７】
2019224918.tif 000009
【国際調査報告】
2019224918.tif 000010
2019224918.tif 000011
2019224918.tif 000012
2019224918.tif 000013